(57)【要約】【課題】電動スイーベル装置の駆動部をユニット化し、更に小径ギアを多段に重ね合わせることで、小スペース化を可能とする電動スイーベル装置を提供する。【解決手段】ベースとフラットパネルディスプレイの間にあって、該フラットパネルディスプレイを水平方向の左右に回動させるための電動スイーベル装置において、上記ベースに固定したフレームと、該フレームとの間で内部空間を形成するギアカバーと、該内部空間内に取付け収容される電動モーターと、上記空間内に取付け収容されると共に前記電動モーターの高速回転を減速する減速歯車列と、該減速歯車列により減速回転する回動部材と、から構成される。【選択図】        図２
2008111497.tif 000002
【特許請求の範囲】
【請求項１】
ベースとフラットパネルディスプレイの間にあって、該フラットパネルディスプレイを水平方向の左右に回動させるための電動スイーベル装置において、上記ベースに固定したフレームと、該フレームとの間で内部空間を形成するギアカバーと、該内部空間内に取付け収容される電動モーターと、上記空間内に取付け収容されると共に前記電動モーターの高速回転を減速する減速歯車列と、該減速歯車列により減速回転する回動部材と、から構成されることを特徴とする電動スイーベル装置。
【請求項２】
ベースとフラットパネルディスプレイの間にあって、該フラットパネルディスプレイを水平方向の左右に回動させるための電動スイーベル装置において、上記ベースに固定したフレームと、該フレームとの間で内部空間を形成するギアカバーと、該内部空間内に取付け収容される電動モーターと、上記空間内に取付け収容されると共に前記電動モーターの高速回転を減速する減速歯車列と、該減速歯車列を構成する各歯車を回転自在に支持する固定軸と、上記該減速歯車列により減速回転する回動部材と、上記フレームに取り付け固定されると共に上記電動モーターの回転速度や回転方向を制御する電子回路板と、がユニット化されていることを特徴とする電動スイーベル装置。
【請求項３】
上記減速歯車列が、回転中心が同じで一体となった大径歯車と小径歯車から成る複数の減速ギアを、少なくとも２軸間で順次噛み合わせて構成されることを特徴とする請求項１または２に記載の電動スイーベル装置。
【請求項４】
上記大径歯車および小径歯車が、はす歯歯車であることを特徴とする請求項３に記載の電動スイーベル装置。
【請求項５】
上記回動部材には、取付部材が連結されていて、フラットパネルディスプレイを取り付けることを特徴とする請求項１、２、３または４に記載の電動スイーベル装置。
【請求項６】
上記ギアカバーに、上記電子回路板から電動モーターへ連絡する配線を掛け止め固定する固定片を形成したことを特徴とする請求項１、２、３、４および５に記載の電動スイーベル装置。
【発明の詳細な説明】
【技術分野】
【０００１】
本発明は、パソコン用モニターや液晶テレビジョンなどのフラットパネルディスプレイの向きを水平方向の左右に回動させる機能（スイーベル）を有する電動スイーベル装置に関するものである。
【背景技術】
【０００２】
一般に、フラットパネルディスプレイは観る人の方向に合わせて向きを水平方向の左右に電動により回動させる。
従来の、この種の電動スイーベル装置としては、高速で回転する電動モーターの回転を、高減速して、フラットパネルディスプレイを確実かつ迅速に回動させるために、ピッチ円の大きな平ギアにより高減速比を得ている。
【０００３】
しかし、上記従来の電動スイーベル装置は、ピッチ円の大きな平歯車を使用して減速していたため、フラットパネルディスプレイを支える脚台の中で大きなスペースをとってしまっていた。
また、噛み合うギア間に遊びがあり、ディスプレイ端部でのガタが大きかった。
さらに従来、小型TV（２０インチ程度）のものには、電動スイーベル装置は存在せず、手動操作のみのスイーベルでユーザが対応していたが、ユニバーサルデザインの市場ニーズから、電動タイプも必要になってきている。
また更に、従来の電動スイーベル装置は、電子回路をディスプレイ等の機器側に持つため、オプションとしては不向きであった。
【発明の開示】
【発明が解決しようとする課題】
【０００４】
本発明が解決しようとする課題は、電動スイーベル装置の駆動部をユニット化し、更に小径ギアを多段に重ね合わせることで、小スペース化を可能とし、また、はす歯ギアを使用することで、ギアの間の遊びを無くして、ガタの削減及び静音化を実現することができ、さらに、電子回路板も含めてユニット化することによりオプション化を容易にすることができ、また更に電子回路板をスタンド側に持たせることでオプション化を容易にすることができる電動スイーベル装置を提供することにある。
【課題を解決するための手段】
【０００５】
本発明の電動スイーベル装置は、ベースとフラットパネルディスプレイの間にあって、該フラットパネルディスプレイを水平方向の左右に回動させるための電動スイーベル装置において、上記ベースに固定したフレームと、該フレームとの間で内部空間を形成するギアカバーと、該内部空間内に取付け収容される電動モーターと、上記空間内に取付け収容されると共に前記電動モーターの高速回転を減速する減速歯車列と、該減速歯車列により減速回転する回動部材と、から構成されることを特徴とする。また、ベースとフラットパネルディスプレイの間にあって、該フラットパネルディスプレイを水平方向の左右に回動させるための電動スイーベル装置において、上記ベースに固定したフレームと、該フレームとの間で内部空間を形成するギアカバーと、該内部空間内に取付け収容される電動モーターと、上記空間内に取付け収容されると共に前記電動モーターの高速回転を減速する減速歯車列と、該減速歯車列を構成する各歯車を回転自在に支持する固定軸と、上記該減速歯車列により減速回転する回動部材と、上記フレームに取り付け固定されると共に上記電動モーターの回転速度や回転方向を制御する電子回路板と、がユニット化されていることを特徴とする。さらに、上記減速歯車列が、回転中心が同じで一体となった大径歯車と小径歯車から成る複数の減速ギアを、少なくとも２軸間で順次噛み合わせて構成されることを特徴とする。また更に、上記大径歯車および小径歯車が、はす歯歯車であることを特徴とする。さらに又、上記回動部材には、取付部材が連結されていて、フラットパネルディスプレイを取り付けることを特徴とする。また、上記ギアカバーに、上記電子回路板から電動モーターへ連絡する配線を掛け止め固定する固定片を形成したことを特徴とする。
【発明の効果】
【０００６】
本発明の電動スイーベル装置は、下記のような利点がる。
１）ギアユニットの小スペース化実現によって、全体の構成もコンパクトに収めることができる。
２）ギアをはす歯ギアとしたことで、ギア間の遊びを無くし、ディスプレイ端部のガタ、揺れの解消、また静音化により、快適に使用することが出来る。
３）組立性を向上させたことにより、コストの低減が可能となる。
また更に、部品点数の削減により、コストダウンを可能となる。
４）電子回路板も含めてユニット化することによりオプション化を容易にすることができる。
５）小型ディスプレイ等機器（２０インチ程度）に電動スイーベル装置を設置させることが可能になる。
６）大型ディスプレイ等機器（３０インチ以上）にも、同機構で設置可能である。
７）小型な設置台を提供することができる。
８）設置台の奥行き方向が小型にでき、デザイン上スリムに改善でき、自由度が広がる。
９）電子回路板をスタンド側に持たせることでオプション化を容易にすることができる。
【発明を実施するための最良の形態】
【０００７】
図１は、本発明装置を備えたフラットパネルディスプレイ装置を示す表面斜視図（Ａ）および背面斜視図（Ｂ）であって、Ｄはフラットパネルディスプレイ、Ｂはベース、およびＳは、該ベースＢとフラットパネルディスプレイＤの間にあって、該フラットパネルディスプレイを水平方向の左右に回動させるための電動スイーベル装置である。
【０００８】
図２は、本発明装置の１実施例の電動スイーベル装置Ｓの斜視図であって、１はフレーム、１′はギアカバー、２は電動モーター、３は減速歯車列、４は回動部材、５は取付部材である。上記フレーム１の下部には取付片１ａが備えられていて、取付穴等を介して、該フレーム１を上記ベースＢに取り付け固定するようになっている。また、フレーム１はギアカバー１′との間で内部空間を形成するようになっていて、該内部空間に上記電動モーター２および上記減速歯車列３の大部分を収容する。１ａ′は、上記電動モーター２の固定フレームである。
【０００９】
図３は、上記減速歯車列３を示すものであって、該減速歯車列３は、第１減速ギア３−１、第２減速ギア３−２、第３減速ギア３−３、第４減速ギア３−４および大径回動ギア３−５から構成されている。さらに、各減速ギア３−１、３−２、３−３、３−４は、図４、５、６に示すように、それぞれウオームホイール３−１ａ、大径歯車３−２ａ、３−３ａ、３−４ａと、該大径歯車と回転中心が同じで一体となった小径歯車３−１ｂ、３−２ｂ、３−３ｂ、３−４ｂから構成されている。減速ギア３−１及び３−３は、上記フレーム１およびギアカバー１′に取り付けられた固定軸６に、それぞれ独立して回転するように取り付けられている。上記減速ギア３−２及び３−４も、同様に、上記フレーム１およびギアカバー１′に取り付けられた固定軸７に、それぞれ独立して回転するように取り付けられている。
なお、上記大径歯車３−２ａ、３−３ａ、３−４ａおよび小径歯車３−１ｂ、３−２ｂ、３−３ｂ、３−４ｂ、また、上記大径回動ギア３−５は、はす歯歯車であることが好ましい。
【００１０】
図４からも明らかなように、上記第１減速ギア３−１のウオームホイール３−１ａは、上記電動モーター２の回転出力軸に取り付けられたウォームギヤ２ａと噛み合っていて、電動モーター２の高速回転が大きく減速されるようになっている。減速回転するウオームホイール３−１ａと一体となった小径歯車３−１ｂは、上記第２減速ギア３−２の大径歯車３−２ａと噛み合っていて、第１減速ギア３−１の回転が、更に第２減速ギア３−２により減速される。小径歯車３−２ｂは大径歯車３−２ａと一体になって回転する。
【００１１】
図５は、上記第２減速ギア３−２と上記第３減速ギア３−３との関係を示すもので、該第２減速ギア３−２の小径歯車３−２ｂは第３減速ギア３−３の大径歯車３−３ａと噛み合っていて、第２減速ギア３−２の回転が、更に第３減速ギア３−３により減速される。小径歯車３−３ｂは大径歯車３−３ａと一体になって回転する。
【００１２】
図６は、上記第３減速ギア３−３と上記第４減速ギア３−４との関係を示すもので、該第３減速ギア３−３の小径歯車３−３ｂは第４減速ギア３−４の大径歯車３−４ａと噛み合っていて、第３減速ギア３−３の回転が、更に第４減速ギア３−４により減速される。小径歯車３−４ｂは大径歯車３−４ａと一体になって回転する。
【００１３】
上記第４減速ギア３−４の小径歯車３−４ｂは、固定軸８に回転自在に取り付けられている大径回動ギア３−５に噛み合っていて、第４減速ギア３−４の回転が更に減速される。該大径回動ギア３−５は、はす歯歯車が望ましい。上記大径回動ギア３−５は上記固定軸８と一体に回転するようになっている。上記大径回動ギア３−５と上記回動部材４は、一定トルクで相互にスリップするようになっている。
【００１４】
以上の実施例では、電動モーター２から大径回動ギア３−５まで、５段階の減速歯車列により減速されるようになっているが、本発明の減速歯車列の構成はこれに限定するものではない。
【００１５】
上記大径回動ギア３−５の上面部には、コ字状の連結溝３−５ａが形成されていて、図２に示す取付部材５の下部連結部が差し込まれて、一体的に連結されている。該取付部材５はフラットパネルディスプレイＤを取り付けている。
【００１６】
図７から明らかなように、上記フレーム１に取付片１ｂを一体的に形成することにより、図２に示すような、電子回路板９を取り付け可能とする。また、上記ギアカバー１′に固定片１ｂ′を一体的に形成することにより、上記電子回路板９から上記電動モーター２へ連絡する配線を（図示せず）を掛け止め固定する。
【００１７】
なお、本発明における大径歯車の「大径」の意味は、小径歯車の「小径」に比較して大きいという意味であって、従来の「ピッチ円の大きな平歯車」と同じ意味の「大径」ではない。すなわち、本発明における大径歯車は、従来のピッチ円の大きな平歯車に比べて小さい径である。
【図面の簡単な説明】
【００１８】
【図１】本発明装置を備えたフラットパネルディスプレイ機器を示す表面斜視図（Ａ）および背面斜視図（Ｂ）である。
【図２】本発明装置の１実施例の電動スイーベル装置の斜視図である。
【図３】減速歯車列を示す要部斜視図である。
【図４】第１減速ギアと第２減速ギアの関係を説明する斜視図である。
【図５】第２減速ギアと第３減速ギアの関係を説明する斜視図である。
【図６】第３減速ギアと第４減速ギアと大径回動ギアのそれぞれの関係を説明する斜視図である。
【図７】フレームに付随する機能の説明図である。
【符号の説明】
【００１９】
１    フレーム
１′  ギアカバー
１ａ′固定フレーム
１ｂ′固定片
２    電動モーター
３    減速歯車列
３−１  減速ギア
３−１ａ  ウオームホイール
３−１ｂ  小径歯車
３−２  減速ギア
３−２ａ  大径歯車
３−２ｂ  小径歯車
３−３  減速ギア
３−３ａ  大径歯車
３−３ｂ  小径歯車
３−４  減速ギア
３−４ａ  大径歯車
３−４ｂ  小径歯車
３−５  大径回動ギア
４    回動部材
５    取付部材
６、７、８  固定軸
９    電子回路板
Ｂ    ベース
Ｄ    フラットパネルディスプレイ
Ｓ    電動スイーベル装置
【図１】
2008111497.tif 000003
【図２】
2008111497.tif 000004
【図３】
2008111497.tif 000005
【図４】
2008111497.tif 000006
【図５】
2008111497.tif 000007
【図６】
2008111497.tif 000008
【図７】
2008111497.tif 000009